(57)【要約】  【課題】  子供が遊ぶエリアと保護者が活動する保護者の活動するエリアに分けられる屋内施設において、子供がエリア内から出にくくするとともに、保護者が遊んでいる子供を監視しながら本来の活動ができるようにすることを目的とする。  【解決手段】  子供が遊ぶ空間である遊戯エリアと、前記子供の保護者が活動する空間である保護者エリアとを有する遊戯場付き屋内施設において、前記遊戯エリアと前記保護者エリアとの境目に設けられる前記遊戯エリアで遊ぶと想定される子供がまたぐことができない高さを有する、互いのエリア内を目視することができる仕切りを有しており、前記保護者エリアには前記仕切りに面するように複数の椅子が設けられる。【選択図】  図１
2005120720.tif 000002
【特許請求の範囲】
【請求項１】
子供が遊ぶ空間である遊戯エリアと、
前記子供の保護者が活動する空間である保護者エリアと、
前記遊戯エリアと前記保護者エリアとの境目に設けられる、前記遊戯エリアで遊ぶと想定される子供がまたぐことができない高さを有する、互いのエリア内を目視することができる仕切りとを有し、
前記保護者エリアには前記仕切りに面するように複数の椅子が設けられる
遊戯場付き屋内施設。
【請求項２】
前記複数の椅子は、前記遊戯エリアと保護者エリアとの境目に平行に並べられる請求項１に記載の遊戯場付き屋内施設。
【請求項３】
前記遊戯エリアと保護者エリアとの境目は、保護者エリア側に出っ張った曲線を形成する請求項１又は２に記載の遊戯場付き屋内施設。
【請求項４】
前記遊戯場付き屋内施設において、
前記椅子の前にはテーブルが設けられる
請求項１から３のいずれか１項に記載の遊戯場付き屋内施設。
【請求項５】
前記仕切りは、前記遊戯エリアで遊ぶと想定される子供が乗り越えることができない高さを有するとともに、光を通すことができる
請求項１から４のいずれか１項に記載の遊戯場付き屋内施設。
【請求項６】
前記仕切りの前記遊戯エリア側には、前記椅子に座った保護者の目線よりも低い高さのクッションが設けられる
請求項１から５のいずれか１項に記載の遊戯場付き屋内施設。
【請求項７】
前記遊戯エリアと前記保護者エリアとが前記仕切りによって、遮音される請求項１から６のいずれか１項に記載の遊戯場付き屋内施設。
【請求項８】
前記遊戯場付き屋内施設は、飲食店であって、前記椅子は飲食に使用されるものである請求項１から６のいずれか１項に記載の遊戯場付き屋内施設。
【請求項９】
前記遊戯場付き屋内施設は、講義室であって、前記椅子は聴講者が利用するものである請求項１から６のいずれか１項に記載の遊戯場付き屋内施設。
【請求項１０】
前記遊戯場付き屋内施設は、休憩場であって、前記椅子は休憩に使用されるものである請求項１から６のいずれか１項に記載の遊戯場付き屋内施設。
【請求項１１】
前記遊戯場付き屋内施設は、読書室であって、前記椅子は読書に使用されるものである請求項１から６のいずれか１項に記載の遊戯場付き屋内施設。
【発明の詳細な説明】
【技術分野】
【０００１】
本発明は遊戯場が設けられた屋内の施設に関する。
【背景技術】
【０００２】
小さな子供の保護者が家の外に子供を連れ出して屋内の施設等に入ると、子供が施設内を走り回ったり、騒いだりするため、保護者が本来行うべきことに集中できない場合が多い。このような場合に対応するために、例えば、下記特許文献１に記載されているように、屋内施設内に子供のための遊戯場を設けることが行われている。このような遊戯場は、小売店舗や飲食店に多く見られる。
【特許文献１】実用新案登録第３０４８７２９号公報
【発明の開示】
【発明が解決しようとする課題】
【０００３】
しかし、店舗内等に遊戯場を設けても、子供は遊戯場から出て店舗内を走り回ったりすることがあり、他の来店者等に迷惑をかけることがある。また、幼児が遊戯場で遊んでいる場合でも不慮の事故などが起こることもあるが、保護者が店舗内で遊戯場を見ることができないようなところにいると対応が遅れることもある。一方で、保護者が屋内施設で行うことでも、例えば飲食などの場合であれば、遊戯場の子供を監視しながら行うことができるものもある。
そこで、本発明は、子供が遊ぶエリアと保護者が活動するエリアに分けられる屋内施設において、子供がエリア内から出にくくするとともに、保護者が遊んでいる子供を監視しながら本来の活動ができるようにすることを目的とする。
【課題を解決するための手段】
【０００４】
上記課題を解決するために、本発明は次のような構成を有する。
請求項１に記載の発明は、子供が遊ぶ空間である遊戯エリアと、前記子供の保護者が活動する空間である保護者エリアとを有する遊戯場付き屋内施設である。そして、前記遊戯エリアと前記保護者エリアとの境目に設けられる、前記遊戯エリアで遊ぶと想定される子供がまたぐことができない高さを有する、互いのエリア内を目視することができる仕切りを有しており、前記保護者エリアには前記仕切りに面するように複数の椅子が設けられる。なお、ここで、「前記遊戯エリアで遊ぶと想定される子供がまたぐことができない高さ」は少なくとも遊戯エリアが対象とする年齢の子供の平均的な股下の長さを超えていれば足りる。また、「仕切りに面するように複数の椅子が設けられる」とは仕切りの方に座る者が向くように設置された２以上の椅子が置かれた状態を指し、椅子に座る者の前方の角度内に前記仕切りが存すれば足り、椅子は仕切りに対して斜めを向くような場合も含む。
【０００５】
請求項２に記載の発明は、前記複数の椅子は、前記遊戯エリアと保護者エリアとの境目に平行に並べられるものである。
請求項３に記載の発明は、前記遊戯エリアと保護者エリアとの境目は、保護者エリア側に出っ張った曲線を形成するものである。
請求項４に記載の発明は、前記遊戯場付き屋内施設において前記椅子の前にはテーブルが設けられるものである。
請求項５に記載の発明は、前記仕切りは、前記遊戯エリアで遊ぶと想定される子供が乗り越えることができない高さを有するとともに、光を通すことができるものである。なお、光を通すことができればよいので透明な材質で形成するほか、網などで形成したり、複数の穴を設けたりしてもよい。また、「前記遊戯エリアで遊ぶと想定される子供が乗り越えることができない高さ」は少なくとも遊戯エリアが対象とする年齢の子供が手を上げた際の地面から指先まで長さの平均値を超えていれば足りる。
【０００６】
請求項６に記載の発明は前記仕切りの前記遊戯エリア側には、前記椅子に座った保護者の目線よりも低い高さのクッションが設けられるものである。
請求項７に記載の発明は、前記遊戯エリアと前記保護者エリアとが前記仕切りによって、遮音されるものである。遮音の程度は完全である必要はなく、仕切りが屋内施設の天井に至ることや仕切りといずれかのエリアを覆う板材によって前記遊戯エリアと前記保護者エリアとが空間的に遮断されることで、音が直接空気を介するのではなく、板材等の固体を間に挟んで伝わるような状態であれば足りる。
【０００７】
請求項８に記載の発明は、前記遊戯場付き屋内施設は、飲食店であって、前記椅子は飲食に使用されるものである。
請求項９に記載の発明は、前記遊戯場付き屋内施設は、講義室であって、前記椅子は聴講者が利用するものである。
請求項１０に記載の発明は、前記遊戯場付き屋内施設は、休憩場であって、前記椅子は休憩に使用されるものである。
請求項１１に記載の発明は、前記遊戯場付き屋内施設は、読書室であって、前記椅子は読書に使用されるものである。
【発明の効果】
【０００８】
請求項１に記載の発明は、遊戯エリアから子供は容易に保護者エリアに入ってこられないので、保護者の監視の負担が減るとともに、保護者は遊戯エリアを見ることができる椅子に座って子供を監視しつつ自分の活動を行うことができる。
請求項２に記載の発明は、複数の椅子を遊戯エリアと保護者エリアとの境目に平行に並べることによって、高密度に椅子を遊戯エリアに向かうように並べることができる。
請求項３に記載の発明は、遊戯エリアと保護者エリアとの境目が保護者エリア側に出っ張った曲線とすることで、遊戯エリアを取り囲むように前記椅子を配置するれば、前記遊戯エリア内を椅子に座った保護者が満遍なく遊戯エリア内を監視することが容易になる。
請求項４に記載の発明は、椅子の前にテーブルを設けることで保護者の利便性が向上する。
請求項５に記載の発明は、前記仕切りは、前記遊戯エリアで遊ぶと想定される子供が乗り越えることができない高さを有することで、保護者は子供をより監督しやすくなり、また、仕切りを光が通る材質や形状とすることで、保護者は仕切りを通して遊戯エリアを観察することができる。
【０００９】
請求項６に記載の発明は、低い位置にクッションを設けることで保護者の視線をさえぎることなく、遊戯エリア内を走り回る子供が仕切りにぶつかって怪我をする可能性を低くすることができる。
請求項７に記載の発明は、遊戯エリアと保護者エリアとが遮音されることにより、保護者は静かに活動を行うことができる。
請求項８に記載の発明は、保護者は椅子に座って飲食しながら遊戯エリアで遊んでいる子供を監視することができる。
請求項９に記載の発明は、保護者は椅子に座って講義を聴講しながら遊戯エリアで遊んでいる子供を監視することができる。
請求項１０に記載の発明は、保護者は椅子に座って休憩しながら遊戯エリアで遊んでいる子供を監視することができる。
請求項１１に記載の発明は、保護者は椅子に座って読書をしながら遊戯エリアで遊んでいる子供を監視することができる。
【発明を実施するための最良の形態】
【００１０】
以下、本発明の実施の形態について、図面を参照しながら説明する。
図１に本実施の形態に係る遊戯場付き屋内施設Ａの平面図を示す。この遊戯場付き屋内施設Ａは飲食店を想定している。
遊戯場付き屋内施設Ａは子供が遊ぶ空間である遊戯エリアＸと、子供の保護者が活動する空間（ここでは飲食をする空間）である保護者エリアＹとを有する。遊戯エリアＸ内には子供が遊ぶためのトランポリンやすべり台等の遊具１が複数配置されている。遊戯エリアＸと保護者エリアＹとの境目には仕切り２が形成されている。ここでは遊戯エリアＸと保護者エリアＹとの境目は保護者エリアＹ側に出っ張った略かまぼこ状の形の曲線を形成し、仕切り２はこれの境目に沿って設けられる。この仕切り２は下部の土台部分２ａと上部の壁部分２ｂにより構成されている。土台部分２ａは鉄板の回りにクッション材料を設けて形成されており、ここでは走ってきてぶつかる子供を保護できるように高さを約８０ｃｍに設定している。壁部分２ｂは透明なアクリル樹脂でできており、子供が乗り越えられないように約２ｍの高さに設定している。また、仕切り２には図示しない遊戯エリアと保護者エリアを連通させる出入り口が設けられている。
【００１１】
保護者エリアＹ内には、仕切り２に面し、これを取り囲むように複数の椅子５とテーブル４が設けられている。図において右下のテーブル４とこれを囲む椅子５以外は、遊戯エリアＸと保護者エリアＹとの境目を構成する曲線に略平行に並べられており、遊戯エリア内Ｘを観察できる椅子５が高い密度で並べられるとともに、境目が保護者エリアＹ内に出っ張った曲線を形成することでほとんどの椅子から遊戯エリア内の様子を満遍なく観察できるようになっている。
本遊戯場付き屋内施設Ａはこのような構成により、子供は仕切り内の遊戯エリアＸ内で遊ぶことができる一方、保護者は遊戯エリアＸを囲む椅子５に座って子供を監視しながら飲食をすることができる。また、子供は容易には保護者エリアＹに入ることができないので保護者の監視の負担も軽減されることになる。
【００１２】
（変形例）
図２に遊戯場付き屋内施設の変形例を表す平面図を示す。図に示す遊戯場付き屋内施設Ｂは遊戯エリアＸの形状が楕円形である。このように遊戯エリアＸを閉じた空間とすることで椅子５を遊戯エリアＸの全周にわたって取り囲むことができ、椅子５の配置できる範囲を広くすることができる。図３に別の変形例を表す平面図を示す。図に示す遊戯場付き屋内施設Ｃは保護者エリアＹの形状が楕円形である。この場合は子供が走りまわる距離が長くでき、子供にとっては運動がしやすくなる。
また、ここでは飲食店を例示したが、遊戯場付き屋内施設Ａのような形状であれば、講義室として使用して、仕切りに接触しているテーブル４とこれに付随する椅子５以外のテーブル４と椅子５を聴講生が利用すれば、子供を監視しながら例えば華道を習ったりすることも可能である。さらに、休憩室や図書室などにも使用することもできる。
また、ここでは、仕切りの上側には天井との間に隙間が設けられるが、仕切りを天井まで設けたり、仕切りの上に蓋をしたりすることで、遊戯エリアと保護者エリアの間を互いに遮音するようにしてもよい。このようにすることで、保護者エリアで保護者は静かに活動することができ、また、遊戯エリアと保護者エリアのそれぞれに異なる音楽を流すようにすることもできる。
さらに、本実施の形態では、遊戯エリアと保護者エリアの境目は曲線で構成されているが、場合によっては、直線を組み合わせた多角形で形成してもよい。このようにすると、仕切りを平板で作成できるので、製作コストの低減が可能となる。
【図面の簡単な説明】
【００１３】
【図１】実施の形態に係る遊戯場付き屋内施設を示す平面図である。
【図２】実施の形態に係る遊戯場付き屋内施設の変形例を示す平面図である。
【図３】実施の形態に係る遊戯場付き屋内施設の他の変形例を示す平面図である。
【符号の説明】
【００１４】
Ｘ      遊戯エリア
Ｙ      保護者エリア
１      遊具
２      仕切り
４      テーブル
５      椅子
【図１】
2005120720.tif 000003
【図２】
2005120720.tif 000004
【図３】
2005120720.tif 000005